(57)【特許請求の範囲】
【請求項１】
複数の制御チャネル領域のうち端末がモニタする制御チャネル領域の組み合わせを示す複数のケースの中から１つのケースを選択する回路と、
前記複数のケースを示す設定情報を上位レイヤシグナリングによって通知し、前記選択された１つのケースをダイナミックシグナリングによって通知する送信機と、
を具備し、
前記１つのケースに対応する前記組み合わせは、複数の前記端末に異なる、
基地局。
【請求項２】
前記送信機は、前記端末が前記ダイナミックシグナリングを受信しない場合に当該端末がモニタする制御チャネル領域を前記上位レイヤシグナリングによって通知する、
請求項１に記載の基地局。
【請求項３】
前記端末が前記ダイナミックシグナリングを受信しない場合に当該端末がモニタする制御チャネル領域が規定されている、
請求項１に記載の基地局。
【請求項４】
前記規定された制御チャネル領域は、前記複数の制御チャネル領域のうちの少なくとも１つである、
請求項３に記載の基地局。
【請求項５】
前記規定された制御チャネル領域は、前記複数の制御チャネル領域のうち、制御チャネル領域番号、又は、前記制御チャネル領域が配置されるシンボルのシンボル番号が最小の制御チャネル領域である、
請求項３に記載の基地局。
【請求項６】
前記規定された制御チャネル領域は、前記ダイナミックシグナリングが受信されなかったスロットのタイプに対応付けられている、
請求項３に記載の基地局。
【請求項７】
複数の制御チャネル領域のうち端末がモニタする制御チャネル領域の組み合わせを示す複数のケースを示す設定情報を含む上位レイヤシグナリングを受信し、前記複数のケースのうちの１つのケースを示すダイナミックシグナリングを受信する受信機と、
前記複数のケースのうち、前記ダイナミックシグナリングに示される前記１つのケースに対応する前記制御チャネル領域で自機宛の制御情報を検出する回路と、
を具備し、
前記１つのケースに対応する前記組み合わせは、複数の端末毎に異なる、
端末。
【請求項８】
基地局は、
複数の制御チャネル領域のうち端末がモニタする制御チャネル領域の組み合わせを示す複数のケースの中から１つのケースを選択し、
前記複数のケースを示す設定情報を上位レイヤシグナリングによって通知し、前記選択された１つのケースをダイナミックシグナリングによって通知し、
前記１つのケースに対応する前記組み合わせは、複数の前記端末毎に異なる、
通信方法。
【請求項９】
端末は、
複数の制御チャネル領域のうち端末がモニタする制御チャネル領域の組み合わせを示す複数のケースを示す設定情報を含む上位レイヤシグナリングを受信し、前記複数のケースのうちの１つのケースを示すダイナミックシグナリングを受信し、
前記複数のケースのうち、前記ダイナミックシグナリングに示される前記１つのケースに対応する前記制御チャネル領域で自機宛の制御情報を検出し、
前記１つのケースに対応する前記組み合わせは、複数の端末毎に異なる、
通信方法。
【発明の詳細な説明】
【技術分野】
【０００１】
本開示は、基地局、端末及び通信方法に関する。
【背景技術】
【０００２】
第５世代移動通信システム（5G）と呼ばれる通信システムが検討されている。5Gでは、通信トラフィックの増大、接続する端末数の増大、高信頼性、低遅延が必要とされるそれぞれのユースケース毎に機能を柔軟に提供することが検討されている。代表的なユースケースとして、拡張モバイルブロードバンド（eMBB：enhanced Mobile Broadband）、大規模コミュニケーション/多数接続（mMTC：massive Machine Type Communications）、超信頼性・低遅延 コミュニケーション（URLLC：Ultra Reliable and Low Latency Communications)の３つがある。国際標準化団体である3GPP（3rd Generation Partnership Project）では、LTEシステムの高度化と、New RAT（Radio Access Technology）（例えば、非特許文献１を参照）の両面から、通信システムの高度化を検討している。
【先行技術文献】
【非特許文献】
【０００３】
【非特許文献１】RP-161596, "Revision of SI: Study on New Radio Access Technology", NTT DOCOMO, September 2016
【非特許文献２】R1-1702764, "Discussion on group common PDCCH", Panasonic, February 2017
【発明の概要】
【発明が解決しようとする課題】
【０００４】
New RAT では、DCI（Downlink Control Indicator）を配置する制御信号チャネルであるPDCCH（Physical Downlink Control Channel）領域として、複数のcontrol resource set（以下、「CORSET」と呼ぶ）を端末（UE：User Equipment）に設定することが検討されている。しかしながら、New RATにおいて、UEが複数のCORSETの中のサーチスペースをモニタ（Blind Decoding）してDCIを検出する方法については十分に検討がなされていない。
【０００５】
本開示の一態様は、UEが複数のCORSETの中のサーチスペースをモニタしてDCIを適切に検出することができる基地局、端末及び通信方法の提供に資する。
【課題を解決するための手段】
【０００６】
本開示の一態様に係る基地局は、複数の制御チャネル領域のうち端末がモニタする制御チャネル領域の組み合わせを示す複数のケースの中から１つのケースを選択する回路と、前記複数のケースを示す設定情報を上位レイヤシグナリングによって通知し、前記選択された１つのケースをダイナミックシグナリングによって通知する送信機と、を具備する。
【０００７】
本開示の一態様に係る端末は、複数の制御チャネル領域のうち端末がモニタする制御チャネル領域の組み合わせを示す複数のケースを示す設定情報を含む上位レイヤシグナリングを受信し、前記複数のケースのうちの１つのケースを示すダイナミックシグナリングを受信する受信機と、前記複数のケースのうち、前記ダイナミックシグナリングに示される前記１つのケースに対応する前記制御チャネル領域で自機宛の制御情報を検出する回路と、を具備する。
【０００８】
本開示の一態様に係る通信方法は、複数の制御チャネル領域のうち端末がモニタする制御チャネル領域の組み合わせを示す複数のケースの中から１つのケースを選択し、前記複数のケースを示す設定情報を上位レイヤシグナリングによって通知し、前記選択された１つのケースをダイナミックシグナリングによって通知する。
【０００９】
本開示の一態様に係る通信方法は、複数の制御チャネル領域のうち端末がモニタする制御チャネル領域の組み合わせを示す複数のケースを示す設定情報を含む上位レイヤシグナリングを受信し、前記複数のケースのうちの１つのケースを示すダイナミックシグナリングを受信し、前記複数のケースのうち、前記ダイナミックシグナリングに示される前記１つのケースに対応する前記制御チャネル領域で自機宛の制御情報を検出する。
【００１０】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１１】
本開示の一態様によれば、UEが複数のCORSETの中のサーチスペースをモニタしてDCIを適切に検出することができる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１Ａ】CORSETの構成例を示す図
【図１Ｂ】CORSETの構成例を示す図
【図２】実施の形態１に係る基地局の一部の構成を示すブロック図
【図３】実施の形態１に係る端末の一部の構成を示すブロック図
【図４】実施の形態１に係る基地局の構成を示すブロック図
【図５】実施の形態１に係る端末の構成を示すブロック図
【図６】実施の形態１に係る基地局及び端末の動作例を示すシーケンス図
【図７Ａ】実施の形態１の設定例１に係るCORSETのケースの一例を示す図
【図７Ｂ】実施の形態１の設定例１に係るCORSETの構成例を示す図
【図８Ａ】実施の形態１の設定例２に係るCORSETのケースの一例を示す図
【図８Ｂ】実施の形態１の設定例２に係るCORSETの構成例を示す図
【発明を実施するための形態】
【００１４】
以下、本開示の実施の形態について図面を参照して詳細に説明する。
【００１５】
［CORSETの仮定］
図１Ａ及び図１Ｂに示すように、複数配置されるCORSETは、互いに、周波数軸上で分割されている場合(FDM：Frequency Division Multiplexing)、時間軸上で分割されている場合(TDM：Time division Multiplexing)、又は、周波数、時間領域がオーバラップしている場合が想定される。
【００１６】
また、各CORSETには、CCE#0〜CCE#Xのように複数のCCE（Control Channel Element）が含まれる。
【００１７】
また、CORSETには、主に、UE個別の制御信号が配置されるCORSET（「UE specific CORSET」と呼ばれる）、及び、複数のUE宛ての制御信号が配置されるCORSET（「Group common CORSET」と呼ばれる）がある。Group common CORSETには、例えば、RACH response、電力制御、ページングの通知、SIB（System Information Block）の割り当て等の複数のUEに共通の情報を通知する制御信号が配置される。これらの制御信号は、LTEでは、common search spaceと呼ばれるサーチスペースに主に配置される信号である。
【００１８】
また、UE specific CORSETにおいて、UE毎にDCIをモニタするサーチスペースに該当するCCE番号は、UEを識別するID（例えばRNTI(Radio Network Temporary Identifier)、スロット番号）等から求められるように規定される。
【００１９】
New RAT では、上述したような複数のCORSETをUEに設定することが検討されている。UEは、設定された複数のCORSETの中のサーチスペースをモニタし、自機宛てのDCIを検出する。
【００２０】
しかしながら、UEが設定された複数のCORSETをスロット毎にモニタすると、DCIが配置されるPDCCH領域の候補（モニタすべきCCE）が多くなり、UEの消費電力が増加してしまうこと、又は、誤検出の確率が増加してしまうという課題がある。
【００２１】
そこで、以下では、UEの消費電力を削減し、かつ、誤検出の確率を低下しつつ、UEが複数のCORSETをモニタしてDCIを適切に検出する方法について説明する。
【００２２】
［通信システムの概要］
本開示の各実施の形態に係る通信システムは、基地局１００及び端末２００（UE）を備える。
【００２３】
図２は本開示の実施の形態に係る基地局１００の一部の構成を示すブロック図である。図２に示す基地局１００において、DCI生成部１０２は、複数の制御チャネル領域（CORSET）のうち端末２００がモニタするCORSETの組み合わせを示す複数のケースの中から１つのケースを選択する。送信部１０６は、複数のケースを示す設定情報を上位レイヤシグナリングによって通知し、選択された１つのケースをダイナミックシグナリングによって通知する。
【００２４】
図３は本開示の実施の形態に係る端末２００の一部の構成を示すブロック図である。図３に示す端末２００において、受信部２０１は、複数の制御チャネル領域（CORSET）のうち端末２００がモニタするCORSETの組み合わせを示す複数のケースを示す設定情報を含む上位レイヤシグナリングを受信し、複数のケースのうちの１つのケースを示すダイナミックシグナリングを受信する。DCI受信部２０３は、複数のケースのうち、ダイナミックシグナリングに示される１つのケースに対応するCORSETで自機宛の制御情報（DCI）を検出する。
【００２５】
（実施の形態１）
［基地局の構成］
図４は、本実施の形態に係る基地局１００の構成を示すブロック図である。図４において、基地局１００は、CORSET設定部１０１と、DCI生成部１０２と、誤り訂正符号化部１０３と、変調部１０４と、信号割当部１０５と、送信部１０６と、受信部１０７と、信号分離部１０８と、復調部１０９と、誤り訂正復号部１１０とを有する。
【００２６】
CORSET設定部１０１は、端末２００（UE）毎にCORSETを設定する。CORSETの設定（定義）とは、例えば、各CORSETが配置されるPRB（Physical Resource Block）数、PRB番号、シンボル番号、シンボル数、CORSETのスクランブリングに使用するID、REG（Resource Element Group）のマッピング方法（localized or distributed）、Quasi collocation (QCL)の情報等が含まれる。CORSETの設定は、例えば、上位レイヤのシグナリング（後述するケース設定情報と同じシグナリングでもよく、異なるシグナリングでもよい）で端末２００へ通知されてもよい。
【００２７】
また、CORSET設定部１０１は、端末２００に設定された複数のCORSETのうち、端末２００がモニタするCORSETの組み合わせを決定する。そして、CORSET設定部１０１は、決定したCORSETの組み合わせを示す複数のケースを示す情報（「ケース設定情報」と呼ぶ）を含む上位レイヤのシグナリング（SIB（System Information Block）又はdedicated RRC（Radio Resource Control））を生成する。CORSET設定部１０１は、上位レイヤのシグナリングを誤り訂正符号化部１０３へ出力し、ケース設定情報をDCI生成部１０２及び信号割当部１０５へ出力する。
【００２８】
DCI生成部１０２は、例えば、スロットあたりの制御信号量又はデータ量等の情報（図示せず）に基づいて、CORSET設定部１０１から入力されるケース設定情報に示される複数のケースの中から、端末２００がモニタすべきCORSETに対応する１つのケースを選択（決定）し、選択したケースに対応するビット情報（以下、「ケース情報」と呼ぶこともある）を生成する。
【００２９】
生成されたケース情報（ビット情報）は、例えば、group common PDCCH（例えば、非特許文献２を参照）、group common CORSETに配置される複数のUEが受信できるPDCCH、又は、LTEのDCI format 3/3Aのように複数のUE宛ての信号を１つのPDCCHでまとめて送信するような制御信号に配置される。これらの制御信号は、後述する、端末２００に対するDL割当情報又はUL割当情報の通知に使用される下り制御信号（DCI）とは別のDCIである。
【００３０】
DCI生成部１０２は、ケース情報を含むDCIを信号割当部１０５へ出力する。ケース情報を含む制御信号は、例えば、スロット毎又はサブフレーム毎に生成され、端末２００へ通知される。以下では、スロット又はサブフレーム毎にダイナミックに通知される制御信号を、上位レイヤのシグナリング（semi-staticな通知）と区別するために、「ダイナミックシグナリング」と呼ぶこともある。
【００３１】
また、DCI生成部１０２は、DL（Downlink）データ信号又はUL（Uplink）データ信号のリソース割当情報（DL割当情報又はUL割当情報）を含むDCIを生成し、DCIを信号割当部１０５へ出力する。また、DCI生成部１０２は、生成したDCIのうち、DL割当情報を信号割当部１０５に出力し、UL割当情報を信号分離部１０８へ出力する。
【００３２】
誤り訂正符号化部１０３は、送信データ信号（DLデータ信号）及び、CORSET設定部１０１から入力される上位レイヤのシグナリング（ケース設定情報）を誤り訂正符号化し、符号化後の信号を変調部１０４へ出力する。
【００３３】
変調部１０４は、誤り訂正符号化部１０３から受け取る信号に対して変調処理を施し、変調後の信号を信号割当部１０５へ出力する。
【００３４】
信号割当部１０５は、DCI生成部１０２から入力されるDL割当情報に基づいて、変調部１０４から受け取る信号（DLデータ信号、ケース設定情報）を、下りリソースに割り当てる。また、信号割当部１０５は、CORSET設定部１０１から入力されるケース設定情報に示される複数のケースのうち、DCI生成部１０２から入力されるDCIに示されるケース（DCI生成部１０２で選択されたケース）に対応するCORSET（つまり、端末２００がモニタするCORSET）にDCIを配置する。このようにして送信信号が形成される。形成された送信信号は、送信部１０６へ出力される。
【００３５】
送信部１０６は、信号割当部１０５から入力される送信信号に対してアップコンバート等の無線送信処理を施し、アンテナを介して端末２００へ送信する。
【００３６】
受信部１０７は、端末２００から送信された信号をアンテナを介して受信し、受信信号に対してダウンコンバート等の無線受信処理を施し、信号分離部１０８へ出力する。
【００３７】
信号分離部１０８は、DCI生成部１０２から入力されるUL割当情報に基づいて、受信部１０７から受け取る受信信号からULデータ信号を分離して復調部１０９へ出力する。
【００３８】
復調部１０９は、信号分離部１０８から入力される信号に対して復調処理を施し、得られた信号を誤り訂正復号部１１０へ出力する。
【００３９】
誤り訂正復号部１１０は、復調部１０９から入力される信号を復号し、端末２００からの受信データ信号（ULデータ信号）を得る。
【００４０】
［端末の構成］
図５は、本実施の形態に係る端末２００の構成を示すブロック図である。図５において、端末２００は、受信部２０１と、信号分離部２０２と、DCI受信部２０３と、復調部２０４と、誤り訂正復号部２０５と、設定情報受信部２０６と、誤り訂正符号化部２０７と、変調部２０８と、信号割当部２０９と、送信部２１０と、を有する。
【００４１】
受信部２０１は、受信信号をアンテナを介して受信し、受信信号に対してダウンコンバート等の受信処理を施した後に信号分離部２０２へ出力する。受信信号には、例えば、DLデータ信号、上位レイヤシグナリング（ケース設定情報を含む）、又は、ダイナミックシグナリング（ケース情報を含む）等が含まれる。
【００４２】
信号分離部２０２は、受信部２０１から受け取る受信信号から、ケース情報を含む制御信号が割り当てられる可能性のあるリソースに配置された信号を分離して、DCI受信部２０３へ出力する。なお、上述したように、ケース情報は、例えば、group common PDCCH、group common CORSETに配置される複数のUEが受信できるPDCCH、又は、LTEのDCI format 3/3Aのように複数のUE宛ての信号を１つのPDCCHでまとめて送信するような制御信号（ダイナミックシグナリング）に配置されている。
【００４３】
また、信号分離部２０２は、DCI受信部２０３から入力されるケース情報及び設定情報受信部２０６から入力される、複数のケース（CORSETの組み合わせ）及び各CORSETの設定を示す情報に基づいて、自機がモニタすべきCORSET（分離すべきCORSET）に対応するリソースを特定し、当該リソースに配置された信号を分離して、DCI受信部２０３へ出力する。また、信号分離部２０２は、DCI受信部２０３から入力されるDL割当情報に基づいて、受信信号からDLデータ信号又は上位レイヤのシグナリングを分離して、復調部２０４へ出力する。
【００４４】
DCI受信部２０３は、信号分離部２０２から入力される信号（ケース情報を含む制御信号が割り当てられる可能性のあるリソースに配置された信号）から、ケース情報を検出し、検出したケース情報を信号分離部２０２へ出力する。また、DCI受信部２０３は、信号分離部２０２から入力される、CORSETに対応するリソースに配置された信号に対して復号を試みて、DCIを検出（受信）する。DCI受信部２０３は、受信したDCIに示されるUL割当情報を信号割当部２０９へ出力し、DL割当情報を信号分離部２０２へ出力する。
【００４５】
復調部２０４は、信号分離部２０２から入力される信号を復調し、復調後の信号を誤り訂正復号部２０５へ出力する。
【００４６】
誤り訂正復号部２０５は、復調部２０４から受け取る復調信号を復号し、得られた受信データ信号を出力し、得られた上位レイヤのシグナリングを設定情報受信部２０６へ出力する。
【００４７】
設定情報受信部２０６は、誤り訂正復号部２０５から出力される上位レイヤのシグナリンに含まれるケース設定情報又はCORSET設定情報に基づいて、端末２００毎のCORSETの組み合わせ、及び、各CORSETの設定を特定する。そして、設定情報受信部２０６は、特定した情報を信号分離部２０２へ出力する。
【００４８】
誤り訂正符号化部２０７は、送信データ信号（ULデータ信号）を誤り訂正符号化し、符号化後のデータ信号を変調部２０８へ出力する。
【００４９】
変調部２０８は、誤り訂正符号化部２０７から入力されるデータ信号を変調し、変調後のデータ信号を信号割当部２０９へ出力する。
【００５０】
信号割当部２０９は、DCI受信部２０３から入力されるUL割当情報に基づいて、ULデータが割り当てられるリソースを特定する。そして、信号割当部２０９は、変調部２０８から入力されたデータ信号を特定したリソースに割り当て、送信部２１０へ出力する。
【００５１】
送信部２１０は、信号割当部２０９から入力される信号に対してアップコンバート等の送信処理を施し、アンテナを介して送信する。
【００５２】
［基地局１００及び端末２００の動作］
以上の構成を有する基地局１００及び端末２００における動作について詳細に説明する。
【００５３】
図６は基地局１００及び端末２００の動作を示すシーケンス図である。
【００５４】
基地局１００は、CORSETの設定、及び、端末２００がモニタするCORSETの組み合わせを示す複数のケースを設定する（ＳＴ１０１）。基地局１００は、設定した複数のケースを示すケース設定情報を、上位レイヤのシグナリングを用いて端末２００へ送信する（ＳＴ１０２）。
【００５５】
次いで、基地局１００は、ＳＴ１０１で設定した複数のケースの中から、端末２００が実際にモニタするCORSETに対応する１つのケースを選択する（ＳＴ１０３）。そして、基地局１００は、選択したケースを示すケース情報を含むダイナミックシグナリングを端末２００へ送信する（ＳＴ１０４）。また、基地局１００は、選択したケースに対応するCORSETにDCI（リソース割当情報等）を配置する（図示せず）。
【００５６】
一方、端末２００は、ＳＴ１０２で受信した上位レイヤのシグナリングに含まれるケース設定情報、及び、ＳＴ１０４で受信したダイナミックシグナリングに含まれるケース情報に基づいて、自機がモニタするCORSETを特定する（ＳＴ１０５）。具体的には、端末２００は、ケース設定情報に示される複数のケースのうち、ダイナミックシグナリングで通知された１つのケースに対応するCORSETを、自機がモニタするCORSETとして特定する。
【００５７】
そして、端末２００は、特定したCORSETをモニタして、自機宛てのDCIを検出する（ＳＴ１０６）。
【００５８】
次に、本実施の形態に係る具体的な動作例について説明する。
【００５９】
基地局１００は、端末２００が同時にモニタするCORSETの組み合わせを示す複数のケースを以下のように設定し、上位レイヤのシグナリング（SIBまたはdedicated RRC）を用いて通知する。
ケース1：CORSET A
ケース2：CORSET B
ケース3：CORSET A, CORSET B, CORSET C
ケース4：No monitoring
【００６０】
このように、１つのケースには、１つのCORSET、複数のCORSET、又はモニタしない場合（No monitoring）が含まれてもよい。また、異なるケースに同一のCORSETが含まれてもよい。
【００６１】
次に、基地局１００は、例えば、スロット毎又はサブフレーム毎（又は他のタイミング毎）に、ケース１〜４の中から端末２００がモニタするCORSETに対応する１つのケースを選択し、ダイナミックシグナリングに含まれる２ビットを用いて、選択した１つのケースを端末２００へ通知する。
【００６２】
端末２００は、上位レイヤのシグナリングで通知されたケース１〜４のうち、ダイナミックシグナリングによって通知されたケースに対応するCORSETをモニタして、自機宛てのDCIを検出する。
【００６３】
なお、ケースを通知するダイナミックシグナリングは、group common CORSETに配置される場合と、予め定められたリソース（例えばLTEのPCFICH（Physical Control Format Indicator Channel）のようなリソース）に配置される場合とが想定される。ダイナミックシグナリングがGroup common CORSETに配置される場合、端末２００は、group common CORSETをモニタし、ケースを通知するダイナミックシグナリングを検出すればよい。一方、ダイナミックシグナリングが予め定められたリソースに配置される場合、端末２００は、CORSETの配置とは関係なく、当該リソースでダイナミックシグナリングを検出すればよい。
【００６４】
こうすることで、基地局１００は、各端末２００がモニタするCORSETを、例えばスロット毎又はサブフレーム毎に、及び、端末２００毎に、柔軟に設定することができる。よって、端末２００は、基地局１００から通知されるケースに対応するCORSETをモニタすればよく、全てのCORSETについてモニタする必要がない。これにより、端末２００におけるCORSETの不要なモニタ処理を防止することができ、端末２００の消費電力の削減、及び、誤検出の削減を実現することができる。
【００６５】
なお、基地局１００で選択された１つのケースが、group common PDCCH、又は、group common CORSETに配置される複数のUEが受信可能なPDCCHを用いて通知される場合、基地局１００は、上位レイヤのシグナリングによって通知される各ケースに対応するCORSET（CORSET数又は組み合わせ）を端末２００毎に異ならせてもよい。
【００６６】
以下、各ケースに対応するCORSETの構成が端末２００毎に異なる場合の設定例１，２について説明する。
【００６７】
＜設定例１＞
図７Ａは、端末２００（UE A, UE B, UE C）に対して設定されたケース１〜４に対応するCORSETの一例を示す。
【００６８】
図７Ａでは、UE Aに対してCORSET Aが設定され、UE Bに対してCORSET A及びCORSET Bが設定され、UE Cに対してCORSET A、CORSET B及びCORSET Cが設定される。
【００６９】
図７Ａのケース１では、各UEは１つのCORSET Aをモニタする。
【００７０】
図７Ａのケース２では、各UEは、各UEに設定されているCORSETのうち、CORSET A及びCORSET Bをモニタする。なお、UE Aには、CORSET Bが設定されていないので、CORSET Aをモニタする。
【００７１】
図７Ａのケース３では、各UEは、各UEに設定されているCORSETのうち、CORSET A、CORSET B及びCORSET Cをモニタする。なお、UE Aには、CORSET B及びCORSET Cが設定されていないので、CORSET Aをモニタする。また、UE Bには、CORSET Cが設定されていないので、CORSET A及びCORSET Bをモニタする。
【００７２】
図７Ａのケース４では、各UEは、CORSETのモニタを行わない。
【００７３】
図７Ａに示すようにケースを設定した場合、基地局１００は、例えば、group common PDCCH、又は、group common CORSETに配置される複数のUEが受信可能なPDCCHを用いて、各端末２００（UE）に対するケースを切り替える。
【００７４】
これにより、基地局１００は、複数のUEに使用されるCORSETの全体の量を変更することができる。
【００７５】
例えば、図７Ｂに示すように、CORSET A、CORSET B及びCORSET Cがシンボル単位で配置されているとする。
【００７６】
この場合、基地局１００が図７Ａのケース１を通知すると、全てのUEで使用されるCORSETのシンボル数は１シンボルとなり、基地局１００が図７Ａのケース２を通知すると、全てのUEで使用されるCORSETのシンボル数は２シンボルとなり、基地局１００が図７Ａのケース３を通知すると、全てのUEで使用されるCORSETのシンボル数は３シンボルとなる。
【００７７】
つまり、通知されるケースによって、全てのUEで使用されるCORSETのシンボル数が切り替えられる。例えば、基地局１００は、接続するUE数が少ない場合には、使用されるCORSETのシンボル数が少ないケース１を通知し、接続するUE数が多い場合には、使用されるCORSETのシンボル数が多いケース３を通知するという運用を行ってもよい。
【００７８】
＜設定例２＞
図８Ａは、端末２００（UE A, UE B, UE C）に対して設定されたケース１〜４に対応するCORSETを示す。
【００７９】
図８Ａでは、UE Aに対してCORSET A及びCORSET Dが設定され、UE Bに対してCORSET B及びCORSET Dが設定され、UE Cに対してCORSET C及びCORSET Dが設定される。
【００８０】
図８Ａのケース１では、UE AがCORSET Aをモニタし、他のUE B及びUE CはCORSETのモニタを行わない。
【００８１】
図８Ａのケース２では、UE BがCORSET Bをモニタし、他のUE A及びUE CはCORSETのモニタを行わない。
【００８２】
図８Ａのケース３では、UE CがCORSET Cをモニタし、他のUE A及びUE BはCORSETのモニタを行わない。
【００８３】
図８Ａのケース４では、全てのUEがCORSET Dをモニタする。
【００８４】
図８Ａに示すようにケースを設定した場合、基地局１００は、各端末２００（UE）に対するケースを切り替えることにより、例えば、スロット毎又はサブフレーム毎にCORSETをモニタするUEを変更することができる。
【００８５】
例えば、図８Ｂに示すように、CORSET A、CORSET B及びCORSET Cが周波数多重して配置され、CORSET DがCORSET A、CORSET B及びCORSET Cの周波数領域を含む広い領域に配置されているとする。
【００８６】
この場合、基地局１００は、接続するUE数が少ない場合、接続するUE（UE A、UE B又はUE C）に対応するケース（図８Ａのケース１〜ケース３の何れか）を通知し、接続するUE数が多い場合にはケースＤを通知するという運用を行ってもよい。
【００８７】
以上、動作例について説明した。
【００８８】
なお、上記では、基地局１００が、上位レイヤのシグナリングによって、端末２００が同時にモニタするCORSETをケース毎に通知する場合について説明した。基地局１００は、上記に加えて、上位レイヤのシグナリングによって、CORSETの設定（定義）も端末２００に通知してもよい。CORSETの定義は、CORSETのケースを通知するシグナリングと同一のシグナリングに含んでもよく、別のシグナリングとして、ケースのシグナリングよりも前に通知されてもよい。また、CORSETの定義とは、CORSETが配置されるPRB数、PRB番号、シンボル番号、シンボル数、CORSETのスクランブリングに使用するID、REGのマッピング方法（localized or distributed）、Quasi collocation (QCL)の情報などを含む。
【００８９】
このようにして、本実施の形態では、基地局１００は、端末２００がモニタするCORSETの組み合わせを示す複数のケースを示すケース設定情報を上位レイヤシグナリングによって通知する。また、基地局１００は、複数のケースの中から端末２００が使用する１つのケースを選択し、選択した１つのケースをダイナミックシグナリングによって通知する。つまり、上位レイヤのシグナリングと、ダイナミックシグナリングとを併用して、端末２００がモニタするCORSETの通知が行われる。
【００９０】
一方、端末２００は、上位レイヤシグナリングによって通知されているケース設定情報に示される複数のケースの中から、ダイナミックシグナリングによって通知されるケースに対応するCORSETをモニタして自機宛てのDCI（制御情報）を検出する。
【００９１】
これにより、基地局１００は、端末２００に対してダイナミックシグナリングによってCORSETのケースを通知することにより、例えば、スロット毎又はサブフレーム毎に、端末２００がモニタするCORSETを柔軟に変更することができる。また、基地局１００は、端末２００がモニタするCORSETを変更する際に、DCIを用いてケースを通知すればよく、変更の度にCORSETを通知する必要がないので、DCIのシグナリングオーバヘッドを削減することができる。
【００９２】
また、端末２００は、ダイナミックシグナリングによって通知されたケースに対応するCORSETをモニタし、当該ケースに含まれないCORSETのモニタを行わない。これにより、端末２００は、端末２００に設定された複数のCORSETをスロット毎にモニタする必要がないので、不要にCORSETをモニタすることを回避し、端末２００の消費電力を削減でき、かつ、誤検出の確率を低下することができる。
【００９３】
以上より、本実施の形態によれば、UEの消費電力を削減し、かつ、誤検出の確率を低下しつつ、UEが複数のCORSETをモニタしてDCIを適切に検出することができる。
【００９４】
（実施の形態２）
本実施の形態に係る基地局及び端末は、実施の形態１に係る基地局１００及び端末２００と基本構成が共通するので、図４及び図５を援用して説明する。
【００９５】
本実施の形態では、端末２００が、スロット毎又はサブフレーム毎にCORSETのケースを通知するダイナミックシグナリング（DCI）を受信しなかった場合の動作の規定について説明する。
【００９６】
なお、端末２００がCORSETのケースを通知するDCIを受信しなかった場合とは、例えば、基地局１００がCORSETのケースを通知するDCIを送信していない場合、又は、基地局がCORSETのケースを通知するDCIを送信したにもかかわらず、端末が検出できなかった場合（misdetection）が想定される。
【００９７】
端末２００がDCIを受信しなかった場合の動作を規定することにより、基地局１００は、例えば、規定した値から変更する必要がない場合、ケースを通知するDCIを送信しないという運用ができる。ケースを通知する制御信号領域が小さい場合などには、基地局１００は、このDCIを送信しないことで、他の信号を送信できるという利点がある。
【００９８】
以下、本実施の形態に係る動作例２−１、２−２について説明する。
【００９９】
＜動作例２−１＞
[Option 1]
基地局１００は、CORSETのケースを通知するDCIを端末２００が受信しなかった場合に当該端末２００がモニタするCORSETを、上位レイヤのシグナリングによって別途通知する。
【０１００】
例えば、以下のように、上位レイヤのシグナリングでは、実施の形態１で例示したケース１〜４に加え、端末２００がDCIを受信しなかった場合（DCI受信無し）のケース５を１つ追加で設定してもよい。
ケース1：CORSET A
ケース2：CORSET B
ケース3：CORSET A, CORSET B, CORSET C
ケース4：No monitoring
ケース5（DCI受信無し）：CORSET C
【０１０１】
なお、ケース５のCORSETは、CORSET C（他のケースと同じCORSET）に限定されず、他のCORSETでもよい。このようにすると、端末２００がケースを通知するDCIを受信しなかった場合のケースを、ケース１〜４と異なるCORSETとすることも、同じCORSETとすることもできる。これにより、端末２００がDCIを受信しなかった場合にモニタするCORSETを柔軟に設定することができる。
【０１０２】
例えば、基地局１００は、上述したgroup common PDCCH、group common CORSETに配置される複数のUEが受信できるPDCCH、又は、LTEのDCI format 3/3Aのように複数のUE宛ての信号を１つのPDCCHでまとめて送信するような制御信号でケース情報を送信しない場合、ケース５に対応するCORSETにリソース割当情報等を含むDCIを配置すればよい。これにより、端末２００は、ケース情報を含むDCIを受信しなかった場合でも、上位レイヤのシグナリングで通知されているケース５に対応するCORSETをモニタすることにより、DCI（リソース割当情報等）を検出することができる。
【０１０３】
[Option 2]
基地局１００及び端末２００は、CORSETのケースを通知するDCIを端末２００が受信しなかった場合に当該端末２００がモニタするCORSETを、上位レイヤのシグナリングによって通知している複数のケース（例えば、実施の形態１で説明したケース１〜４）のうち少なくとも１つのケース（例えば、ケース１）に規定する。
【０１０４】
このようにすると、上位レイヤでは、CORSETのケースを通知するDCIを端末２００が受信しなかった場合に当該端末２００がモニタするCORSETを通知するための新たなシグナリングが不要となる。
【０１０５】
例えば、基地局１００は、Option 1で説明したようにケース情報を送信しない場合、規定しているCORSETにリソース割当情報等を含むDCIを配置すればよい。これにより、端末２００は、ケース情報を含むDCIを受信しなかった場合でも、規定されたCORSETをモニタすることにより、DCI（リソース割当情報等）を検出することができる。
【０１０６】
[Option 3]
端末２００は、CORSETのケースを通知するDCIを受信しなかった場合、自機に設定されているCORSETを全てモニタする。
【０１０７】
このようにすると、基地局１００がCORSETのケースを通知するDCIを送信したものの端末２００が当該DCIの受信に失敗した場合でも、端末２００が全てのCORSETをモニタすることにより、当該端末２００宛ての他のDCIを受信できる可能性が向上する。
【０１０８】
[Option 4]
端末２００は、CORSETのケースを通知するDCIを受信しなかった場合、規定されているCORSETをモニタする。
【０１０９】
例えば、端末２００は、CORSETのケースを通知するDCIを受信しなかった場合、group common CORSET、CORSET番号の最も小さいCORSET、又は、CORSETの配置されるシンボルのうちのシンボル番号が最も小さいCORSETをモニタしてもよい。なお、CORSET番号が最も小さいCORSETをgroup common CORSETとしてもよい。
【０１１０】
例えば、基地局１００は、Option 1で説明したようにケース情報を送信しない場合、規定しているCORSETにリソース割当情報等を含むDCIを配置すればよい。これにより、端末２００は、ケース情報を含むDCIを受信しなかった場合でも、規定されたCORSETをモニタすることにより、DCI（リソース割当情報等）を検出することができる。
【０１１１】
なお、端末２００は、ケース情報を含むDCIを受信しなかった場合にGroup common CORSETをモニタする際、group common CORSETを、RACH response、電力制御、ページングの通知、SIBの割り当て等の複数のUE宛ての共通情報用のDCIのみをモニタしてもよく、UE specific DCIもモニタしてもよい。
【０１１２】
このようにすると、CORSETのケースを通知するDCIを端末２００が受信しなかった場合、当該端末２００がモニタするCORSETの数を少ない数又は領域に抑えることができる。また、CORSETのケースを通知するDCIを端末２００が受信しなかった場合、当該端末２００がモニタするCORSETをシンボル番号が最も小さいCORSETとすると、制御信号により、データが割り当てられてないシンボル数を低減できる。
【０１１３】
なお、CORSETのケースを通知するDCIを受信しなかった場合に端末２００がモニタするCORSETは、group common CORSET、CORSET番号の最も小さいCORSET、又は、CORSETの配置されるシンボルのうちのシンボル番号が最も小さいCORSETに限定されない。
【０１１４】
[Option 5]
端末２００は、スロット又はサブフレームにおいてCORSETのケースを通知するDCIを受信しなかった場合、当該スロット又はサブフレームのタイプに応じて、モニタするCORSETを設定する。
【０１１５】
ここで、スロット又はサブフレームのタイプとは、UL用、DL用、その他の用途用(DLとULとを切り替えるスロット、D2D、 MTC、 eIMTA、URLLC)等である。また、スロット又はサブフレームのタイプは、スロット又はサブフレーム内のDLのシンボル数（DL length）として定義されることもある。
【０１１６】
例えば、スロット又はサブフレームのタイプと、端末２００がモニタするCORSETとの組み合わせは以下のように設定されてもよい。
DLスロット：CORSET A, CORSET B
UL centricスロット：CORSET B
Only UL スロット：No monitoring
UL/DL切り替えスロット：CORSET C
【０１１７】
なお、UL centric スロットとは、スロットの前方にDLの制御信号が配置され、後方にULデータ又は制御信号が配置されるスロットである。また、Only UL スロットは、スロットの全シンボルがULに割り当てられるスロットである。
【０１１８】
すなわち、DLスロットでは、DL制御信号が配置されるシンボルが多いのでCORSETの数が多く設定され、UL centricスロット又はUL/DL切り替えスロットでは、DLスロットと比較してDL制御信号が配置されるシンボルが少ないのでCORSETの数が少なく設定される。また、Only UL スロットでは、DL制御信号が配置されるシンボルがないので、No monitoring としている。
【０１１９】
また、CORSETのケースを通知するDCIを端末２００が受信できなかった場合にモニタするCORSETの設定は、上位レイヤのシグナリングによって通知されてもよく、規定されていてもよい。
【０１２０】
また、スロット又はサブフレームのタイプによって、上記Option 1-4を切り替えてもよい。また、スロット又はサブフレームのタイプによって、実施の形態１で説明したケース１〜４を切り替えてもよい。
【０１２１】
このようにすると、端末２００は、スロット又はサブフレームのタイプに応じて、モニタするCORSETを変更することができる。例えば、スロット又はサブフレームのタイプに応じて必要となるCORSET量が異なる場合に有効である。
【０１２２】
例えば、基地局１００がCORSETのケースを通知するDCIを送信したものの端末２００が当該DCIの受信に失敗した場合でも、端末２００は、スロット又はサブフレームのタイプに応じて、基地局１００がDCIの通知に使用しているCORSETを推定できるので、当該端末２００宛ての他のDCIを受信できる可能性が向上する。
【０１２３】
また、例えば、基地局１００は、Option 1で説明したようにケース情報を送信しない場合、スロット又はサブフレームのタイプに対応するCORSETにリソース割当情報等を含むDCIを配置すればよい。これにより、端末２００は、ケース情報を含むDCIを受信しなかった場合でも、スロット又はサブフレームに対応するCORSETをモニタすることにより、DCI（リソース割当情報等）を検出することができる。
【０１２４】
以上、動作例２−１のOption 1〜Option 5について説明した。
【０１２５】
＜動作例２−２＞
端末２００において、CORSETのケース情報を含むダイナミックシグナリング（group common PDCCH、group common CORSETに配置される複数のUEが受信できるPDCCH、又は、LTEのDCI format 3/3Aのように複数のUE宛ての信号を１つのPDCCHにまとめて送付するような制御信号）を、何れのスロット又はサブフレームにおいても受信しない設定があってもよい。
【０１２６】
特に、端末２００の受信品質が悪い場合、端末２００において複数のDCIを受信するように設定すると、DCIが占有するリソース量が多くなる。また、端末２００の受信品質が悪い場合、端末２００がDCIを正しく受信できない誤検出又は検出ミスの確率が上がる。
【０１２７】
そこで、基地局１００は、受信品質が悪いUEを、受信品質の良いUEと異なるグループに割り当て、受信品質が悪いUEが属するグループに対して、CORSETのケースを通知するダイナミックシグナリングを受信しないように設定してもよい。
【０１２８】
端末２００は、CORSETのケース情報を含むダイナミックシグナリングを受信しないように設定された場合、例えば、動作例２−１で説明したOption 3又はOption 5を適用してもよい。これにより、端末２００は、ケース情報を受信しないものの、自機宛てのDCI（リソース割当情報等）が配置されている可能性のあるCORSETをモニタして、DCIを検出することができる。
【０１２９】
以上、本実施の形態に係る動作例２−１、２−２について説明した。
【０１３０】
以上より、基地局１００がスロット毎又はサブフレーム毎にCORSETのケースを通知するダイナミックシグナリング（例えば、group common PDCCH等）を送信しないように設定した場合、又は、基地局１００がスロット毎又はサブフレーム毎にCORSETのケースを通知するダイナミックシグナリング（例えば、group common PDCCH等）を送信したにもかかわらず、端末２００が受信に失敗した場合でも、端末２００は、設定された複数のCORSETの中のサーチスペースをモニタしてDCIを適切に検出することができる。
【０１３１】
以上、本開示の各実施の形態について説明した。
【０１３２】
なお、上記実施の形態では、上位レイヤのシグナリングによって４つのケースを通知し、DCIに含まれる２ビットを用いてケースを通知する場合について説明したが、これに限定されず、上位レイヤのシグナリングによって通知されるケースは、４つ以外の数のケースでもよく、DCIに含まれる２ビットより多くのビット数を用いてケースを通知してもよく、１ビットを用いて２ケースを通知してもよい。
【０１３３】
また、上記実施の形態では、周波数領域（PRB#）について、物理的なマッピングを一例として説明したが、論理的なマッピングについても適用することができる。論理的なマッピングの場合、論理的なマッピングから物理的なマッピングに変更されるので、論理的なマッピングにおいて連続している周波数領域であっても、物理的には離れた位置に配置されるので、周波数ダイバーシチ効果が得られる。
【０１３４】
また、上記DCIは、group common PDCCH、端末２００（UE）のデータ割り当て時に送信されるPDCCH（UE-specific DCI）、又は、group common control resource setで送信される他のPDCCHで送信されてもよい。Group common PDCCHでDCIが送信される場合、複数の端末が同じ設定を受信するのでオーバヘッドを削減できる。また、個別のPDCCHでDCIが送信される場合、端末毎に個別に設定できる。また、DCIは、group common resource set及びUE specific control resource setに限らず、他のリソースで送信されてもよい。
【０１３５】
また、group common PDCCHは、PCFICH(Physical Control Format Indicator channel)、PSFICH(Physical Slot Format Indicator channel)、又は、PDCCH type0等の異なる名称で定義される場合もある。
【０１３６】
また、group common control resource setは、common control resource set、group common search space又はcommon search spaceと呼ばれることもある。
【０１３７】
また、上位レイヤのシグナリングは、MACのシグナリングに置き換えてもよい。MACのシグナリングの場合、RRCのシグナリングと比較して、UEに設定するケースの変更の頻度を上げることができる。
【０１３８】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３９】
本開示の基地局は、複数の制御チャネル領域のうち端末がモニタする制御チャネル領域の組み合わせを示す複数のケースの中から１つのケースを選択する回路と、前記複数のケースを示す設定情報を上位レイヤシグナリングによって通知し、前記選択された１つのケースをダイナミックシグナリングによって通知する送信機と、を具備する。
【０１４０】
本開示の基地局において、前記送信機は、前記端末が前記ダイナミックシグナリングを受信しない場合に当該端末がモニタする制御チャネル領域を前記上位レイヤシグナリングによって通知する。
【０１４１】
本開示の基地局において、前記端末が前記ダイナミックシグナリングを受信しない場合に当該端末がモニタする制御チャネル領域が規定されている。
【０１４２】
本開示の基地局において、前記規定された制御チャネル領域は、前記複数の制御チャネル領域のうちの少なくとも１つである。
【０１４３】
本開示の基地局において、前記規定された制御チャネル領域は、前記複数の制御チャネル領域のうち、制御チャネル領域番号、又は、前記制御チャネル領域が配置されるシンボルのシンボル番号が最小の制御チャネル領域である。
【０１４４】
本開示の基地局において、前記規定された制御チャネル領域は、前記ダイナミックシグナリングが受信されなかったスロットのタイプに対応付けられている。
【０１４５】
本開示の端末は、複数の制御チャネル領域のうち端末がモニタする制御チャネル領域の組み合わせを示す複数のケースを示す設定情報を含む上位レイヤシグナリングを受信し、前記複数のケースのうちの１つのケースを示すダイナミックシグナリングを受信する受信機と、前記複数のケースのうち、前記ダイナミックシグナリングに示される前記１つのケースに対応する前記制御チャネル領域で自機宛の制御情報を検出する回路と、を具備する。
【０１４６】
本開示の通信方法は、複数の制御チャネル領域のうち端末がモニタする制御チャネル領域の組み合わせを示す複数のケースの中から１つのケースを選択し、前記複数のケースを示す設定情報を上位レイヤシグナリングによって通知し、前記選択された１つのケースをダイナミックシグナリングによって通知する。
【０１４７】
本開示の通信方法は、複数の制御チャネル領域のうち端末がモニタする制御チャネル領域の組み合わせを示す複数のケースを示す設定情報を含む上位レイヤシグナリングを受信し、前記複数のケースのうちの１つのケースを示すダイナミックシグナリングを受信し、前記複数のケースのうち、前記ダイナミックシグナリングに示される前記１つのケースに対応する前記制御チャネル領域で自機宛の制御情報を検出する。
【産業上の利用可能性】
【０１４８】
本開示の一態様は、移動通信システムに有用である。
【符号の説明】
【０１４９】
１００  基地局
１０１  CORSET設定部
１０２  DCI生成部
１０３，２０７  誤り訂正符号化部
１０４，２０８  変調部
１０５，２０９  信号割当部
１０６，２１０  送信部
１０７，２０１  受信部
１０８，２０２  信号分離部
１０９，２０４  復調部
１１０，２０５  誤り訂正復号部
２００  端末
２０３  DCI受信部
２０６  設定情報受信部
【図１Ａ】
0006946440.tif 000002
【図１Ｂ】
0006946440.tif 000003
【図２】
0006946440.tif 000004
【図３】
0006946440.tif 000005
【図４】
0006946440.tif 000006
【図５】
0006946440.tif 000007
【図６】
0006946440.tif 000008
【図７Ａ】
0006946440.tif 000009
【図７Ｂ】
0006946440.tif 000010
【図８Ａ】
0006946440.tif 000011
【図８Ｂ】
0006946440.tif 000012